(57)【要約】      （修正有）【課題】高さ調整が容易なカウンターであって、あるいは高さ調整のための構造が場所をとらないカウンターを提供すること。【解決手段】基台１０と、この基台１０に対して昇降可能に連結させたテーブル部２０と、基台１０とテーブル部２０の間に介在させてテーブル部２０を昇降させるアクチュエータと、を有したカウンター１であって、基台１０とテーブル部２０のいずれか一方には、両端にピニオンを備えられたピニオン軸が架設されると共に、他方にはピニオンと歯合するラックが立設されたことを特徴とする。【選択図】図１
2008017974.tif 000002
【特許請求の範囲】
【請求項１】
基台と、この基台に対して昇降可能に連結させたテーブル部と、前記基台と前記テーブル部の間に介在させて前記テーブル部を昇降させるアクチュエータと、を有したカウンターであって、
前記基台と前記テーブル部のいずれか一方には、両端にピニオンを備えられたピニオン軸が架設されると共に、他方には前記ピニオンと歯合するラックが立設されたことを特徴とする昇降カウンター。
【請求項２】
基台と、この基台に対して昇降可能に連結させたテーブル部と、前記基台と前記テーブル部の間に介在させて前記テーブル部を昇降させるアクチュエータと、を有したカウンターであって、
前記連結する連結部と前記アクチュエータとを、該カウンターの一側面側に設けたことを特徴とする昇降カウンター。
【発明の詳細な説明】
【技術分野】
【０００１】
この発明は、スーパーなどで用いられているレジカウンターなどに代表されるカウンターの改良に関し、詳しくは天板の高さ調整が容易に行える昇降カウンターに関する。
【背景技術】
【０００２】
スーパーなどで用いられているレジカウンターは、このレジカウンターを担当する店員の身長に合わせて、天板の高さを調整できる様になっている。
【０００３】
例えば、カウンターに設けられたハンドルを手で回し、ハンドルの回転力をカウンターの天板の昇降作動に変える機構により、高さ調整を実現しているものがある。
【０００４】
あるいは、足で油圧ポンプのペダルを踏み、油圧シリンダの押し出しにより天板を上昇させ、油圧シリンダの油圧を解除して降下させるなどして、高さ調整している。
【０００５】
レジカウンターは一般に長手であるが、長手の両端が均等に昇降する様な工夫もなされている（特許文献１参照）。
【０００６】
またレジカウンターは一般に、その隣にレジスターを載せる小型なカウンター１００が置いてあるが（図１０参考）、この小型カウンターも高さ調整ができる様になっている。ただこの小型カウンターは、レジスターを載せるだけの小さいなものであるので、天板の前後左右が均等に昇降する工夫は特に成されていない。天板への荷重もレジスターと決まっており、レジスターを載せた時の重心も天板のほぼ中央と固定位置なため、昇降させるシリンダなどもこの中央付近を押し上げる構造にしておけば、特段の構造を工夫しなくとも、前後左右に傾くことなぐ均等に昇降させることができるからである。
【特許文献１】実開平５−１７９８４号公報
【発明の開示】
【発明が解決しようとする課題】
【０００７】
高さの調整時には、調整された高さが良好か、あるいはもう少し上昇・降下のいずれかをさせた方がよいかなどという判断は、レジ内で作業する時と同じ立ち姿勢で判断したほうが正確・簡単に行える。
【０００８】
ただハンドルは一般に、天板下方の邪魔にならない箇所に設けてあり、よって腰をかがめてハンドルを回すこととなり、つまり立ち姿勢とは異なる姿勢で高さ調整するので、調整された高さがそれでよいかどうかが適切には分かり難い。
【０００９】
また油圧ポンプのペダルを踏んで、油圧シリンダにより昇降させる場合にも、何度も踏まなければならず、上昇させすぎると油圧を解除して降下させるなどし、場合によっては降下させたものを再度、ペダルを踏んで上昇させるなどしなければならず面倒である。またレジ作業時の立ち姿勢とは異なる姿勢での高さ調整であるので、調整された高さの適不適も十分には分からない。
【００１０】
またカウンターを昇降させる時には、天板は基台に対してその四隅が均等に昇降しなければならず、均等でない昇降をすると昇降に支障をきたすこととなる。天板は一般にはその四隅を、基台側の支柱に設けられたレールに案内される構造になっているが、均等に昇降しないとレールとの関わりが狂うなどするからである。
【００１１】
またレジスターを載せる小型カウンターは、天板の下を、引き出しのスペースに用いたり、その他もの入れに利用するニーズがある。しかし天板の前後左右が均等に昇降する工夫がしてないので、その分、油圧シリンダなどの押し上げの作用点を天板の重心点に近接させておく必要があり、その為に油圧シリンダなどの装置も天板の平面視中央の下方に設けるなどしてあり、これが理由で引き出しなどを設けるスペースが確保できないという不具合がある。
【００１２】
以上の状況を鑑み、本願発明の課題は、高さ調整が容易なカウンターであって、あるいは高さ調整のための構造が場所をとらないカウンターを提供することにある。
【課題を解決するための手段】
【００１３】
本願請求項１記載の昇降カウンターの発明は、基台と、この基台に対して昇降可能に連結させたテーブル部と、前記基台と前記テーブル部の間に介在させて前記テーブル部を昇降させるアクチュエータと、を有したカウンターである。そして前記基台と前記テーブル部のいずれか一方には、両端にピニオンを備えられたピニオン軸が架設されると共に、他方には前記ピニオンと歯合するラックが立設されたことを特徴とする。
【００１４】
また請求項２記載の昇降カウンターの発明は、基台と、この基台に対して昇降可能に連結させたテーブル部と、前記基台と前記テーブル部の間に介在させて前記テーブルを昇降させるアクチュエータと、を有したカウンターであって、を有したカウンターである。そして前記連結する連結部と前記アクチュエータとを、該カウンターの一側面側に設けたことを特徴とする。
【００１５】
なおここでアクチュエータとは、電気信号により力を得られる装置をいう。
【発明の効果】
【００１６】
請求項１記載の発明によれば、アクチュエータのスイッチを操作するだけでカウンターの高さ調整ができるので、レジ作業と同じ姿勢での高さ調整作業が可能となり、簡易で正確な調整が可能となる。
【００１７】
請求項２記載の発明によれば、請求項１と同様の効果が得られる他、連結部が一側面側に設けられていても、昇降が可能となる。連結部が、天板の重心や、これにレジスターの荷重を加えた時の重心から離れた位置の場合には、連結部に回転モーメントが加わり、連結部が、摺動し合う一対のレールなどで実現された場合などにあっては、摺動時の摩擦抵抗が大きくなる。そのため昇降動作が困難になり、従来の手回しハンドルや、足踏みの油圧ポンプでは力が弱く、上昇させることが困難であったりするが、この様な摩擦抵抗があっても、アクチュエータであれば人力より大きな力が実現できるので、スムーズな昇降が可能となる。
【００１８】
またアクチュエータを一側面側に設けることにより、天板の下にスペースを得ることができ、引き出しその他の用途が得られる。
【発明を実施するための最良の形態】
【００１９】
次に、本願発明の実施例を、図をもって説明する。
【実施例１】
【００２０】
図１〜２に示すのは請求項１のカウンターの実施例であり、店員の立ち位置側から見た斜視図である。このカウンター１は、基台１０と、この基台１０に対して昇降可能に連結させたテーブル部２０と、基台１０とテーブル部２０の間に介在させてテーブル部１０を昇降させるアクチュエータ３０とを有している。
【００２１】
基台１０は、図３に示す様に、底部１１を形成する長方形の底枠１２と、この底枠１２の左右端に立設された方形な支柱枠１３とを主な骨格としている。そして、支柱枠１３の内方にはラック１４が立設させてある。
【００２２】
テーブル部２０は天板２１と、天板２１の左右端には、支柱枠１３を前後から挟む配置の脚部２２が前後２本垂設されており、つまり支柱枠１３と２本の脚部２２とは図４に示す様に、入れ子状になっている。この前後２本の脚部２２には軸受け板２３が架け渡されており、これに設けられた軸受け２４がピニオン２５と後述する挟持輪２６とを軸支している。
【００２３】
基台１０の支柱枠１３とテーブル部２０の脚部２２とが入れ子状に組み合わせられた時には、ピニオン２５がラック１４と歯合し、ピニオン２５と挟持輪２６でラック１４を挟持する様な配置となる。挟持輪２６とで挟持することにより、ピニオン２５とラック１４との歯合が確実なものとなるのである。
【００２４】
またピニオン２５はカウンター１の左右両端に設けられるが、これら左右のピニオン２５は図５で示す様にピニオン軸２７で連結されており、よって同期のとれた回転をする様になっている。
【００２５】
支柱枠１３には昇降方向のレール１５が設けられており、これに摺擦可能に重合するレール２８がテーブル部２０側にも設けられている。
【００２６】
アクチュエータ３０は、このアクチュエータ３０の本体から突き出たパイプ状の作動杆３１が電気信号で伸縮作動する様になっており、図２に示した様に、底部１１から立設させた台座３２に作動杆３１を立設させた姿勢で設置されて、作動杆３１がテーブル部２０を下から押し上げる様になっている。
【００２７】
この様にして構成されたカウンター１は、店員側の側面に、左右幅の中央に店員が立った時には、レジ作業と同じ立ち姿勢でもあっても、その姿勢で腰をかがめることなく右手が届く位置にスイッチ２が設けてある。スイッチ２は上昇スイッチ２ａと降下スイッチ２ｂが押しボタン式に設けられており、スイッチ２を押している間はいずれかの動きを続け、適宜な高さになった時点でスイッチ２を離せば、その高さで停止する様になっている。
【００２８】
よって店員が、レジ作業に就く時には、立ち位置で手を自然に垂れた姿勢になるだけで、指がスイッチ２に届き、レジ作業の時と同じ姿勢で高さ調整をすることができる。
【００２９】
またテーブル部２０の重心とアクチュエータ３０の作用点とが左右に離れていると、テーブル部２０は左右の両端が均等な昇降をせず、左右いずれかの方向に傾こうとする場合がある。これは右端と左端の脚部２２の上昇が均等でなくなるからである。しかし、テーブル部２０の左右には、ラック１４と歯合したピニオン２２が設けられており、これら左右のピニオン２２がピニオン軸２７による連結で回転の同期がとられるために、これら左右のピニオン２２の同一回転により、左右の昇降幅も常に同じに保たれ、よって傾くことはないのである。
【実施例２】
【００３０】
図６に示すのは、レジスターを載せる為の小型カウンター３であり、図７はこの小型カウンター３の背面のカバーを外した様子の図である。実施例１のカウンター１は買物の値札などの読み取り作業をする為のカウンター１であるが、この実施例２の小型カウンター３は、その様な読み取り用カウンターの横において、金銭の出し入れの為のレジスターを置くものである。
【００３１】
即ち、基台４０と、この基台４０に対して昇降可能に連結させたテーブル部５０と、基台４０とテーブル部５０の間に介在させてテーブル部５０を昇降させるアクチュエータ６０とを有している。
【００３２】
基台４０は、図８に示すように、底部４１と、この底部４１の背面２隅から立設された角パイプによる２本の支柱レール４２を有している。そして背面と左右の側面はカバー４３で覆われ、前方は開放されている。
【００３３】
テーブル部５０は、レジスターを載せる天板５１とその下方に設けられた２段の棚板５２を有しており、更にその下には引き出し５３が設けてある。そして背面と左右の側面はカバー５４で覆われている。このテーブル部５０は、後方の左右に断面コの字のテーブル側レール５５が設けられており、基台４０側の支柱レール４２に被さるように重合させて、上下に摺動できるようになっている。このテーブル側レール５５と支柱レール４２とが、テーブル部５０が基台に４０対して上下方向の摺動が可能に連結する連結部Ａを成して、これにより昇降できる様になっている。つまり、連結部Ａは一側面側としての背面側に設けられているのである。天板５１の前面には昇降操作をするためのスイッチ４が設けられており、上昇スイッチ４ａと降下スイッチ４ｂが押しボタン式に設けられている。
【００３４】
またアクチュエータ６０は図７に示されている様に、基台４０の底部４１に作動杆６１を立設させた姿勢で背面側に寄せて設置されて、作動杆６１がテーブル部５０を押し上げ可能に配置されている。つまり連結部Ａとアクチュエータ６０とは、同じ一側面側としての背面側に設けられている。
【００３５】
また支柱レール４２とテーブル側レール５５は、これら対になったレール４２，５５が互いに密着して摺動できるように、図９に示す様な押圧部５６により押圧されている。この押圧部５６はテーブル側レール５５の外側に取り付けられており、先端に摩擦抵抗の少ない樹脂部材５６ａが取り付けられたネジ部材５６ｂが、ネジ締めにより、相手の支柱レールを押圧し、レール４２，５５同士の重合がより密着度の高い状態になる様にしている。これによりこれらレール４２，５５同士にガタつき等の遊びがなくなる。
【００３６】
これは、連結部Ａを背面側に設けたことにより、連結部Ａがテーブル部５０の重心から大きく離れた位置となり、その結果、この連結部Ａにはテーブル部５０の前方に傾こうとする力がモーメントとして加わるので、その為の対応である。つまりモーメントにより、対になったレール４２，５５にはレール４２，５５に直角な荷重がかかることとなり、レール４２，５５同士の重合に遊びがあると、摺擦の支障になるからである。その点、押圧部５６があれば、レール４２，５５同士の摺擦面が密着させることができるので遊びも無くなり、よって良好な摺擦が成され、摺擦時の抵抗を抑えることができるのである。
【００３７】
ただこの様に抵抗を抑えたとしても有る程度の抵抗は残り、それは、従来のハンドルや油圧ポンプを用いた人力による押し上げ力では昇降に支障のある程度の抵抗である。その点、本実施例の小型カウンター３では、アクチュエータ６０により人力よりも強力な力を得ることができるので、この様な、アクチュエータ６０（またはその作用点）と連結部Ａとを一側面側に寄せた状態で設けても、良好な昇降動作を得ることができるのである。
【００３８】
以上の構成による小型カウンター３は、これにレジスターを載置された状態で店員が立ち、レジ作業と同様な姿勢でスイッチ操作を行い、カウンター３が適切な高さになるように調整することができる。
【００３９】
またこの様な小型カウンター３は、その小型であるが為に、ハンドルや油圧ポンプのような従来の昇降機構の組み込みがスペース的に難しかったが、その様な問題も解消されている。またペダルやシリンダなどは外見上よくないのであるが、この様な外見上の支障も回避できる。さらには、アクチュエータ６０を一面側に寄せたので、天板５１や棚５２の下の空間が棚や引き出しに利用できるようになり、利便性が向上する。
【図面の簡単な説明】
【００４０】
【図１】この図は、実施例１のカウンターの斜視図である。
【図２】この図も、実施例１のカウンターの図である。
【図３】この図は、基台とテーブル部との関わり方を分解して説明する概要図である。
【図４】この図は、図３の基台とテーブル部とを組み立てた様子の概要図である。
【図５】この図は、ラックとピニオンの関わりを示す図である。
【図６】この図は、実施例２の小型カウンターの斜視図である。
【図７】この図は、図６の小型カウンターの背面カバーを外した図である。
【図８】この図は、基台とテーブル部との関わり方を分解して説明する概要図である。
【図９】この図は、テーブル側レールに取り付けられた押圧部を説明する図である。
【図１０】この図は、従来の小型カウンターの一例を示す図であり、引き出しや覆いカバーを省略して示してある。
【符号の説明】
【００４１】
１  カウンター
２  スイッチ
３  小型カウンター
４  スイッチ
１０  基台
１３  支柱枠
１４  ラック
１５  基台側のレール
２０  テーブル部
２１  天板
２２  脚部
２５  ピニオン
２７  ピニオン軸
２８  テーブル側のレール
３０  アクチュエータ
３１  作動杆
４０  基台
４２  支柱レール
５０  テーブル部
５１  天板
５５  テーブル側レール
５６  押圧部
６０  アクチュエータ
６１  作動杆
Ａ  連結部
【図１】
2008017974.tif 000003
【図２】
2008017974.tif 000004
【図３】
2008017974.tif 000005
【図４】
2008017974.tif 000006
【図５】
2008017974.tif 000007
【図６】
2008017974.tif 000008
【図７】
2008017974.tif 000009
【図８】
2008017974.tif 000010
【図９】
2008017974.tif 000011
【図１０】
2008017974.tif 000012